(57)【要約】      （修正有）【課題】緊急照明として利用可能であり、機械的調光機能、タッチ機能又は停電検知機能を有する携帯バルブを提供する。【解決手段】電源入力端を介して交流電源を受信するバルブ本体と、バルブ本体に設けられる充電電池及びタッチ回路と、駆動回路とを備える。バブル本体は、光透過ランプキャップと、ハウジングと、発光装置とを有する。駆動回路は、タッチ回路と、充電電池と、電源入力端と、発光装置とにそれぞれカップリングされ、タッチ信号に基づいて発光装置のオンオフを決定する。【選択図】図１
0003170080.tif 000002
【実用新案登録請求の範囲】
【請求項１】
光透過ランプキャップと、ハウジングと、発光装置とを有し、電源入力端を介して交流電源を受信するバルブ本体と、
前記バルブ本体に設けられた充電電池であって、前記発光装置の電源が前記充電電池又は前記交流電源から選択される充電電池と、  
前記バルブ本体に設けられるとともに、前記ハウジングに電気的に接続されることでタッチ信号を受信するためのタッチ回路と、
前記タッチ回路と、前記充電電池と、前記電源入力端と、前記発光装置とにそれぞれカップリングされ、前記タッチ信号に基づいて前記発光装置のオンオフを決定する駆動回路と、
を備えることを特徴とする携帯バルブ。
【請求項２】
ハウジングと、前記ハウジングに回転可能に接続される光透過ランプキャップと、発光装置とを有し、電源入力端を介して交流電源を受信するバルブ本体と、
前記バルブ本体に設けられた充電電池であって、前記発光装置の電源が前記充電電池又は前記交流電源から選択される充電電池と、
前記ハウジングに設けられるとともに、前記発光装置にカップリングされた駆動回路と、
を備え、
前記光透過ランプキャップの回転位置に基づいて前記駆動回路が前記発光装置の輝度を調整することを特徴とする携帯バルブ。
【請求項３】
前記駆動回路にカップリングされ、少なくとも一つの可変電気抵抗を有する調光装置と、
前記ハウジングに設けられるとともに、前記調光装置及び前記光透過ランプキャップにカップリングされ、前記光透過ランプキャップの前記回転位置に基づいて前記可変電気抵抗を調整する調光機構と、
をさらに備え、
前記駆動回路が、前記可変電気抵抗の電気抵抗値に基づいて前記発光装置の駆動電流を調整することにより前記発光装置の輝度を調整し、且つ前記光透過ランプキャップが最下限位置まで回転したときに前記発光装置をオフすることを特徴とする請求項２に記載の携帯バルブ。
【請求項４】
光透過ランプキャップと、ハウジングと、発光装置とを有し、電源入力端を介して交流電源を受信するバルブ本体と、
前記バルブ本体に設けられた充電電池であって、前記発光装置の電源が前記充電電池又は前記交流電源から選択される充電電池と、  
前記充電電池及び前記電源入力端にカップリングされた制御回路と、
前記制御回路及び前記発光装置にカップリングされた駆動回路と、
前記制御回路と前記電源入力端との間にカップリングされ、停電であるかどうかを検知するとともに検知結果を出力する停電検知回路と、
を備え、
前記制御回路が、前記停電検知回路から出力された前記検知結果に基づいて前記充電電池又は前記交流電源から前記駆動回路への給電を決定することで前記発光装置を駆動させることを特徴とする携帯バルブ。
【請求項５】
前記バルブ本体に設けられるとともに、前記ハウジングに電気的に接続されるタッチ信号を受信するためのタッチ回路をさらに備え、
前記駆動回路は、前記タッチ回路にカップリングされ、前記タッチ信号に基づいて前記発光装置のオンオフを決定することを特徴とする請求項２に記載の携帯バルブ。
【請求項６】
前記タッチ回路は、前記ハウジングの放熱フィン及びジョイントに電気的に接続されることで前記タッチ信号を受信し、且つ前記駆動回路がマルチチャネル駆動制御回路であり、前記発光装置における複数の発光ダイオードをそれぞれ駆動させることを特徴とする請求項１又は５に記載の携帯バルブ。
【請求項７】
前記発光装置は、パターン光源を有し、パターンを前記携帯バルブの前記光透過ランプキャップに投射することを特徴とする請求項１乃至５のいずれか１項に記載の携帯バルブ。
【請求項８】
前記充電電池及び前記駆動回路にカップリングされた制御回路と、
前記制御回路と前記電源入力端との間にカップリングされ、停電であるかどうかを検知するとともに検知結果を出力する停電検知回路と、
をさらに備え、
前記制御回路が、前記停電検知回路から出力された前記検知結果に基づいて前記充電電池又は前記電源入力端から前記駆動回路への給電を決定することで前記発光装置を駆動させることを特徴とする請求項１又は２に記載の携帯バルブ。
【請求項９】
ハウジングと発光装置とを有し、電源入力端を介して交流電源を受信するバルブ本体と、前記バルブ本体に設けられた充電電池であって、前記発光装置の電源が前記充電電池又は前記交流電源から選択される充電電池と、を備える携帯バルブと、
前記携帯バルブを収容するためのランプベースを有し、前記交流電源を前記電源入力端に供給する昇降式ランプベースと、
を備え、
前記昇降式ランプベースが、給電状態に基づいて前記ランプベースの高さを調整することを特徴とする照明設備。
【請求項１０】
前記充電電池にカップリングされた制御回路と、
前記制御回路及び前記発光装置にカップリングされた駆動回路と、
前記制御回路と前記電源入力端との間にカップリングされ、停電であるかどうかを検知するとともに検知結果を出力する停電検知回路と、
をさらに備え、
前記制御回路は、前記停電検知回路から出力された前記検知結果に基づいて前記充電電池又は前記交流電源から前記駆動回路への給電を決定することで前記発光装置を駆動させることを特徴とする請求項９に記載の照明設備。
【請求項１１】
前記昇降式ランプベースは、
ロープと回転軸とを有し、前記ロープが前記回転軸に巻き取られ、一端が前記ランプベースに接続された昇降設備と、
前記昇降設備に設けられるとともに、前記回転軸に接続されたダンパー装置と、
を備え、
前記給電状態が停電の場合に前記昇降設備が前記回転軸を開放することで前記ランプベースを下降させることを特徴とする請求項９又は１０に記載の照明設備。
【考案の詳細な説明】
【技術分野】
【０００１】
本考案は、発光ダイオードバルブ（ＬＥＤ  ｂｕｌｂ）及びそれを使用した照明設備に関し、特に緊急照明に利用可能であり、機械的調光機能、タッチ機能又は停電検知機能を有する携帯バルブ及びそれを使用した照明設備に関するものである。
【背景技術】
【０００２】
発光ダイオード（Ｌｉｇｈｔ  Ｅｍｉｔｔｉｎｇ  Ｄｉｏｄｅ、ＬＥＤ）は、導電帯（ｃｏｎｄｕｃｔｉｏｎ  ｂａｎｄ）と価電子帯（ｖａｌａｎｃｅ  ｂａｎｄ）との間の電子のエネルギージャンプによりエネルギーを放出することで光子を生成する半導体素子である。ＬＥＤが省電力、長寿命、高輝度等の諸利点を有しているため、近年、環境保護及びエネルギーの節約が要求されているなかで、ＬＥＤは、例えば交通信号、街灯、懐中電灯や液晶テレビのバックライトモジュール、携帯電話のバックライト、電子製品の指示ライト、交通信号ライト、芸術照明、建築物照明や舞台ライト制御、家庭用照明等としてますます広汎に使用されるようになっている。様々な分野におけるＬＥＤの応用が進んでいるとともに、一部の分野においては、既に市場の成熟が進んでおり応用面や普及の速度が早まり、ビジネス機会が創出されている。
【０００３】
一方、照明においては、ＥＵ（欧州連合）が２００７年から白熱バルブを徐々に淘汰し、オーストラリアも２０１０年から白熱バルブの使用を全面的に禁止するとそれぞれ公表していることから、白熱バルブがＬＥＤに取って代わる態勢が顕著となっており、その市場は非常に期待されている。
【考案の概要】
【考案が解決しようとする課題】
【０００４】
本考案は、バルブ内部に充電電池が設けられた携帯バルブであって、使用者が携帯バルブを緊急照明として使用可能であり、機械的調光機能、タッチ機能又は停電検知機能を有する携帯バルブを提供することを課題とする。
【課題を解決するための手段】
【０００５】
本考案にかかる携帯バルブは、発光装置の電源が充電電池又は交流電源から選択され、且つタッチ回路がバルブ本体のハウジングに電気的に接続されることでタッチ信号を受信し、タッチ信号に基づいて発光装置のオンオフを決定する。ユーザは、上記携帯バルブを緊急照明として使用することが可能であり、タッチ方法を利用することにより携帯バルブを開閉することができる。
【０００６】
また、本考案は、光透過ランプキャップがハウジングに回転可能に接続され、且つ発光装置の電源が充電電池又は交流電源から選択される携帯バルブを提供する。従って、光透過ランプキャップの回転位置に基づいて発光装置の輝度を調整することができる。上述の携帯バルブは、緊急照明としてのみではなく、携帯バルブの光透過ランプキャップを回転することにより必要とする輝度を調整することができる。
【０００７】
また、本考案は、発光装置の電源が充電電池又は交流電源から選択され、且つ停電検知回路を利用することにより停電であるかどうかを検知することができる携帯バルブを提供する。上記携帯バルブによれば、停電検知機能を有し、停電の場合に電源を自動的に切り替えることで携帯バルブの輝度を維持することができる。
【０００８】
また、本考案は、昇降式ランプベースが停電の場合にランプベースを下降させることにより、ユーザがランプベースに収容された携帯バルブを容易に取り出すことができる照明設備を提供する。
【０００９】
また、本考案は、昇降式ランプベースが携帯バルブを収容するためのランプベースを有し、この携帯バルブが停電検知機能を有し、且つ昇降式ランプベースが異なる給電状態に基づいてランプベースの高さを調整することができる照明設備を提供する。
【考案の効果】
【００１０】
本考案に係る携帯バルブによれば、充電電池を有し、停電の場合に緊急照明として使用することが可能であり、また、タッチ又は機械的調光機能により、ユーザは、タッチ方法を利用することで携帯バルブを開閉し又はバルブの輝度を調整することができ、また、昇降式ランプベースとの組み合わせにより、ユーザは、携帯バルブを容易に取り出すことができるため、使用上における利便性が非常に高い。
【図面の簡単な説明】
【００１１】
【図１】本考案に係る一つの実施例の携帯バルブの機能ブロック図である。
【図２】図１に示す一部の機能を有する携帯バルブの構造を模式的に示した図である。
【図３】図１に示す一部の機能を有する携帯バルブの一部の構造の断面図である。
【図４Ａ】本考案に係る携帯バルブの構造模式図である。
【図４Ｂ】本考案に係る携帯バルブの構造模式図である。
【図５ａ】本考案に係る一つの実施例の携帯バルブの使用を模式的に示した図である。
【図５ｂ】本考案に係る一つの実施例の携帯バルブの使用を模式的に示した図である。
【図５ｃ】本考案に係る一つの実施例の携帯バルブの使用を模式的に示した図である。
【図６】本考案に係る一つの実施例の照明設備を模式的に示した図である。
【考案を実施するための形態】
【００１２】
図１は、本考案に係る第１の実施例の携帯バルブの機能ブロック図である。図１を参照して、携帯バルブ１００は、停電検知回路１１０、充電回路１２０、充電電池１３０、駆動回路１４０、発光装置１５０、電源変換回路１６０、制御回路１７０、タッチ回路１８０、調光装置１９０、調光機構１９２、光透過ランプキャップ１９４及びハウジング１９６を含む。ハウジング１９６は、ジョイント１９７と放熱フィン１９８とを含む。発光装置１５０は、少なくとも一つの発光ダイオード（図示せず）を有する。上記回路素子（１１０、１２０、１３０、１４０、１６０、１７０、１８０）及び発光装置１５０は、ハウジング１９６に設けられ、光透過ランプキャップ１９４は、ハウジング１９６に回転可能に設けられてもよい。外観から言えば、バルブ本体は、主にハウジング１９６と光透過ランプキャップ１９４とを含む。
【００１３】
制御回路１７０は、停電検知回路１１０、充電回路１２０、充電電池１３０、駆動回路１４０及び電源変換回路１６０にカップリングされる。携帯バルブ１００は、電源入力端ＩＮＴから交流電源ＡＣＩＮを受信し、停電検知回路１１０は、電源入力端ＩＮＴにカップリングされることにより停電であるかどうかを検知する。電源変換回路１６０は、電源入力端ＩＮＴと制御回路１７０との間にカップリングされ、電源入力端ＩＮＴから受信された交流電源ＡＣＩＮを制御回路１７０が使用できるように直流電源に変換する。一般的に、携帯バルブ１００の電源入力端ＩＮＴは、ジョイント１９７であり、ランプベース（図示せず）から電源入力端ＩＮＴを受けるが、本考案は、電源入力端ＩＮＴがジョイント１９７であることに限定されるものではない。
【００１４】
タッチ回路１８０は、駆動回路１４０及びハウジング１９６上におけるジョイント１９７及び放熱フィン１９８にカップリングされるとともに、ジョイント１９７及び放熱フィン１９８を介してタッチ信号を受信する。駆動回路１４０は、発光装置１５０における発光ダイオードにカップリングされ、発光装置１５０における発光ダイオードを駆動させる。調光装置１９０は、調光機構１９２及び駆動回路１４０にカップリングされ、調光機構１９２は、光透過ランプキャップ１９４にカップリングされる。光透過ランプキャップ１９４が回転可能であるため、調光装置１９０及び調光機構１９２は、光透過ランプキャップ１９４の回転位置に従って調整信号を生成し、駆動回路１４０は、この調整信号に基づいてバルブ輝度を調整することができる。
【００１５】
停電検知回路１１０、充電電池１３０及び制御回路１７０は、停電であるかどうかを検知するとともに駆動回路１４０の給電を切り替えることができる。停電検知回路１１０は、交流電源ＡＣＩＮが停電であるかどうかを検知するとともに検知結果を制御回路１７０に提供する。電源変換回路１６０は、交流電源ＡＣＩＮを制御回路１７０に供給するように直流電源に変換する。停電検知回路１１０には複数の実施方法があり、例えば停電検知回路１１０に交流電源ＡＣＩＮと接地端との間に直列接続された電気抵抗が２つ設けられ、分圧により交流電源ＡＣＩＮの分圧を取得し、分圧の変化により停電であるかどうかを判定することができる。本考案に係る他の実施例において、電源入力端ＩＮＴに電気抵抗値が大きい電気抵抗を並列接続し、停電検知回路１１０は、その電圧／電流の変化に基づいて停電であるかどうかを検知してもよい。ここで注意すべき点は、停電検知回路の実施方法はいろいろあるが、本考案はそれらの実施方法に限定されるものではないことである。
【００１６】
充電電池１３０は、他の直流電源を制御回路１７０に供給する。制御回路１７０は、停電検知回路１１０から出力された検知結果に基づいて駆動回路１４０への給電を充電電池１３０又は電源変換回路１６０からの何れかを決定することで発光装置１５０を駆動する。具体的に説明すると、交流電源ＡＣＩＮから正常に給電された場合、制御回路１７０は、電源を電源変換回路１６０に切り替えることにより、駆動回路１４０及び発光装置１５０の電源が交流電源ＡＣＩＮから供給されるようにする。停電検知回路１１０が停電（即ち交流電源ＡＣＩＮから給電されない）を検知した後、制御回路１７０は、電源を充電電池１３０に切り替えることにより、駆動回路１４０及び発光装置１５０の電源が充電電池１３０から供給されるようにする。
【００１７】
上述のように、携帯バルブ１００は、如何なる状況下においても必要とする電源を取得することで発光ダイオードを発光させることができる。携帯バルブ１００には充電電池１３０が設けられているため、ユーザは、緊急照明として携帯バルブ１００をランプベースから取り外すことができる。これにより停電の場合における利便性が向上する。また、充電電池１３０の電力が不足している場合、制御回路１７０は、充電回路１２０を介して充電電池１３０に対して充電を行うことができる。なお、本考案は、充電回路１２０が充電電池１３０に対する充電のタイミングを限定せず、交流電源が正常に給電されているときであれば、いつでも充電回路１２０が充電電池１３０に対して充電を行うことができる。制御回路１７０は、電源変換回路１６０からの電源を充電回路１２０が使用できるように供給することで、充電回路１２０が充電電池１３０に対して充電を行う。ここで注意すべき点は、上述の充電回路１２０、制御回路１７０及び電源変換回路１６０の間のカップリング関係は、設計の必要に応じて調整することができ、図１に記載のものに限定されるものではない。上述のカップリング関係は、直接接続又は間接接続を含むが、本考案は、それらに限定されるものではない。
【００１８】
タッチ回路１８０は、ハウジング１９６を導体として使用し、ジョイント１９７及び放熱フィン１９８を介してタッチ信号を受信する。ユーザが手でジョイント１９７及び放熱フィン１９８に触れた場合、タッチ回路１８０は、対応するタッチ信号を駆動回路１４０に伝送する。駆動回路１４０は、タッチ信号に基づいて発光装置１５０のオンオフを決定する。携帯バルブ１００がオン（発光）状態にある場合、ユーザが手でジョイント１９７及び放熱フィン１９８に触れると、駆動回路１４０は、発光装置１５０をオフする。携帯バルブ１００がオフ状態にある場合、ユーザが手でジョイント１９７及び放熱フィン１９８に触れると、駆動回路１４０は、発光装置１５０をオンすることで携帯バルブ１００を発光させる。言い換えれば、携帯バルブ１００のジョイント１９７及び放熱フィン１９８は、携帯バルブ１００を開閉するためのスイッチとして用いられてもよい。
【００１９】
また、ここで注意すべき点は、図１における駆動回路１４０は、例えばマルチチャネル駆動制御回路であり、複数の発光ダイオードをそれぞれ制御することで携帯バルブ１００における発光ダイオードを必要に応じて選択的にオンさせることができる。例えば一部の発光ダイオードのみをオンさせる、又は異なる組の発光ダイオードを切り換えてオンさせることができる。また、充電電池１３０は、例えばニッケルカドミウム電池（Ｎｉ−Ｃｄ）、ニッケル水素電池（Ｎｉ−ＭＨ）、リチウムイオン電池（Ｌｉ−ｉｏｎ）、リチウムポリマー電池（Ｌｉ−ｐｏｌｙｍｅｒ）又は鉛酸電池（Ｓｅａｌｅｄ）等であるが、本考案はそれらに限定されるものではない。
【００２０】
図１及び図２を同時に参照して、図２は、図１の一部の機能である充電及びタッチ機能を有する携帯バルブの構造模式図である。携帯バルブ１００のバルブ本体１０１は、光透過ランプキャップ１９４及びハウジング１９６を含み、ハウジング１９６内には充電電池１３０及び発光装置１５０が設けられ、発光装置１５０には少なくとも一つの発光ダイオードが設けられている。ハウジング１９６は、主に放熱フィン１９８及びジョイント１９７を含む。ジョイント１９７は、例えばスクリュージョイントであり、従来のランプベース（例えばＥ２７、Ｅ１４規格のランプベース）に設けられてもよい。放熱フィン１９８及びジョイント１９７は、携帯バルブ１００を開閉するためのタッチスイッチとして用いられてもよい。
【００２１】
ユーザが放熱フィン１９８及びジョイント１９７に同時に手２１０で触れた場合、携帯バルブ１００はオンする。ユーザが放熱フィン１９８及びジョイント１９７に再び手２１０で触れた場合、携帯バルブ１００はオフする。言い換えれば、携帯バルブ１００のタッチ操作は、ユーザがタッチ方法により携帯バルブ１００を開閉できるように、オン、オフ、オン、オフの順に循環的に作動するように構成されてもよい。また、携帯バルブ１００は、交流電源が正常に給電されたときに充電電池１３０の電量を検知し、電量が不足している場合、充電電池１３０の電力を維持するために充電電池１３０に対して自動的に充電を行うことができる。
【００２２】
ここで注意すべき点は、図１における回路素子（１１０、１２０、１３０、１４０、１６０、１７０、１８０）及び発光装置１５０は、図２におけるハウジング１９６に設けられてもよい。また、その設置位置及び接続方法は、機構の設計に応じて調整することができ、本考案はそれらに限定されるものではない。
【００２３】
携帯バルブ１００は、機械式調光機能を更に有する。図１及び図３を同時に参照して、図３は、図１の一部の機能を有する携帯バルブの一部の構造断面図である。本考案において、光透過ランプキャップ１９４がハウジング１９６に回転可能に設けられているため、ユーザは、光透過ランプキャップ１９４を介して調光機構１９２を駆動することで、駆動回路１４０が発光ダイオードの駆動電流を調整することによりその輝度を調整することができる。言い換えれば、駆動回路１４０は、光透過ランプキャップ１９４の回転位置に従って調整信号を生成し、駆動回路１４０は、この調整信号に基づいてバルブ輝度を調整する。また、駆動回路１４０は、光透過ランプキャップ１９４が最下限に達した場合（即ち光透過ランプキャップ１９４が最下限位置に回転された場合）に、発光装置１５０における発光ダイオードをオフする。次に、図１及び図３に基づいて本考案に係る機械的調光機構を説明する。調光装置１９０は、印刷回路板３９２に設けられる可変電気抵抗３９１を有する。調光装置１９０は、可変電気抵抗３９１の電気抵抗値を電圧信号又は電流信号（即ち前述した調整信号）に変換して駆動回路１４０に供与することにより、駆動回路１４０が携帯バルブ１００内の発光装置１５０における発光ダイオードの輝度を調整する。
【００２４】
調光機構１９２は、主にレンズ歯車３８１、ドライブ歯車３８２及びドライブ軸３８３を含み、レンズ歯車３８１は、ハウジング１９６に設けられるとともに光透過ランプキャップ１９４の下縁に接続される。ドライブ歯車３８２は、ハウジング１９６に設けられるとともにレンズ歯車３８１と相互に噛合される。ドライブ軸３８３は、ドライブ歯車３８２及び可変電気抵抗３９１に接続されることにより可変電気抵抗３９１を調整する。レンズ歯車３８１は、例えば円弧状であり、光透過ランプキャップ１９４の回転によってドライブ歯車３８２を回転駆動させる。ドライブ軸３８３、ドライブ歯車３８２の回転を介して可変電気抵抗３９１の電気抵抗値を調整することができる。また、ユーザの過度の回転による調光機構１９２及び調光装置１９０への損害を回避するために、レンズ歯車３８１の両端に、レンズ歯車３８１の回転角度を制限するためのストッパーを設けてもよい。これによりレンズ歯車３８１がストッパーにあたるまで回転した場合（即ち前述した最下限位置）に停止する。また、ハウジング１９６には円弧状ガイドレール（図示せず）が設けられ、光透過ランプキャップ１９４には摺動部が設けられる。これにより、円弧状ガイドレールに沿って摺動可能であり、光透過ランプキャップ１９４の摺動部が円弧状ガイドレールの終端に接触した場合（即ち前述した最下限位置）には停止する。
【００２５】
駆動回路１４０は、可変電気抵抗３９１の電気抵抗値に基づいて発光装置１５０における発光ダイオードの駆動電流を調整することによりその輝度を調整する。言い換えれば、調光装置１９０及び調光機構１９２により、ユーザは、光透過ランプキャップ１９４を回転することで携帯バルブ１００の輝度を調整することができる。ここで注意すべき点は、調光装置１９０及び調光機構１９２は、図３に示すものに限定されるものではないことである。一つの例として、調光装置１９０における可変電気抵抗３９１を電気抵抗アレイとし、調光機構１９２を弾性ピースとすることにより、弾性ピースが光透過ランプキャップ１９４の回転によって電気抵抗アレイの異なるピンに接触することでその電気抵抗値を調整することができる。上述した実施例の説明によって、この技術分野において通常知識を有する者は、その他の実施形態を推知できるため、ここでは詳しい説明を省略する。
【００２６】
また、ここで注意すべき点は、この実施例において、駆動回路１４０は交流電源又は直流電源を使用することができるため、電源入力端ＩＮＴにカップリングされることにより交流電源ＡＣＩＮを受信することができる。また、本考案に係る他の実施例において、駆動回路１４０は、必要に応じて交流電源又は直流電源のいずれか一方を使用する、またはその両方を使用してもよい。駆動回路１４０が直流電源のみ使用可能である場合、駆動回路１４０が電源入力端ＩＮＴにカップリングされる必要はない。駆動回路１４０が交流電源ＡＣＩＮのみ使用可能である場合、駆動回路１４０は、交流電源ＡＣＩＮを直流電源に変換することにより直流発光ダイオードを駆動させる、又は交流電源ＡＣＩＮのまま交流発光ダイオードを駆動させる。上述した実施例の説明によって、この技術分野において通常知識を有する者は、その他の実施形態を推知できるため、ここでは詳しい説明を省略する。
【００２７】
また、本考案に係る携帯バルブ１００は、投影機能を有し、パターンを光透過ランプキャップ１９４に投射することができる。図１及び図４Ａを同時に参照して、図４Ａは、本考案に係る携帯バルブの構造模式図を示す。発光装置１５０は、照明光源１５１及びパターン光源１６１を含み、照明光源１５１は、照明の光を提供し、パターン光源１６１は、発光時にパターンを拡大するとともに光透過ランプキャップ１９４に投影するものである。パターン光源１６１の形成としては、例えば発光ダイオード素子のパッケージ体（パッケージ材料）に必要とするパターンを形成してなる。こうした構造により、パターン光源１６１が発光した場合には、パターンを光透過ランプキャップ１９４に投射することができる。この実施例において、携帯バルブには、ユーザが選択できるようにパターンの異なるパターン光源１６１を複数設けてもよい。
【００２８】
ユーザは、投影されたパターンをタッチにより切り換え、又はパターン光源の開閉の要否を制御することができる。また、携帯バルブ１００は、ハウジング上にパターン挿入槽を設けることにより、ユーザが該パターン挿入槽を介してパターンの異なるカードを取り替え、画像の異なるパターンを光透過ランプキャップに投射することができる。図４Ｂは、本考案に係る他の実施例の携帯バルブの構造模式図を示す。携帯バルブ４００におけるパターンカード４１０は、複数のパターン光源４６１〜４６４を有し、それらのパターン光源４６１〜４６４は、異なるパターンを有し、ユーザが必要とするパターンを選択することができる。また、投影パターンの切り換えは、異なる画像パターンを複数有する回転盤及び回転部材をハウジングに設けることにより行われるようにしてもよい。ユーザは、回転盤を回転させ、対応する画像パターンをパターン光源の上方に載置させることにより投影された画像パターンを切り替えることができる。ここで注意すべき点は、パターン光源１６１の実施態様は、上述した実施例に限定されるものではない点である。
【００２９】
次に、図５ａ〜図５ｃは、本考案に係る一つの実施例の携帯バルブの使用模式図である。図５ａに示すように、携帯バルブ１００は、ランプベース５１０に設けられ、正常に給電された場合、ランプベース５１０を介して交流電源を取得することで正常に作動する。停電の場合に携帯バルブ１００は、前述した停電検知メカニズムを介して停電であることを検知して、内部の充電電池１３０から電源を取得することで発光する（図５ｂに示す）。ユーザは、携帯バルブ１００を取り外し、緊急照明として手に持って使用することができ、また、図５ｃに示すように、タッチ方法により携帯バルブ１００のオンオフを行うことができる。携帯バルブ１００のその他の操作詳細（例えば機械的調光）については、上述した実施例の説明の通りであるため、ここでは詳しい説明を省略する。
【００３０】
また、本考案に係る携帯バルブ１００は、緊急照明を提供できる照明設備として昇降式ランプベースと組み合わせることができる。図６は、本考案に係る一つの実施例の照明設備模式図である。照明設備は、昇降式ランプベース６０１及び携帯バルブ１００を含み、昇降式ランプベース６０１には携帯バルブ１００が収容される。携帯バルブ１００の内部構造及び機能については、上述した図１〜図５の説明の通りであるため、ここでは詳しい説明を省略する。昇降式ランプベース６０１は、ランプベース６２０、昇降設備６１０及びダンパー装置６１４を含む。携帯バルブ１００は、ランプベース６２０に取り付けられる。昇降設備６１０は、ロープ６１５及び回転軸６１３を有する。ロープ６１５の一部は、回転軸６１３に巻き取られるとともに、一端がランプベース６２０に接続され、ダンパー装置６１４が昇降設備６１０に設けられるとともに、回転軸６１３に接続される。また、電線６１６の一端がランプベース６２０に接続されることで交流電源を携帯バルブ１００に供与する。
【００３１】
昇降式ランプベース６０１は、交流電源の給電状態に基づいてランプベース６２０の高さを調整する。停電の場合に、昇降式ランプベース６０１は、ユーザが容易に取得できるように携帯バルブ１００を下降させる。ダンパー装置６１４は、例えばダンパー歯車であり、回転軸６１３と相互に噛合されることで携帯バルブ１００の下降速度を緩める。また、昇降式ランプベース６０１には、交流電源の給電状況に応じて回転軸６１３を開放するかどうかを決定するための制動スイッチ（図示せず）が設けられてもよい。一つの例として、正常に給電される場合は、回転軸６１３が牽制され（例えば電流による磁力を介して相互に吸引する）、停電の場合には、磁力の生成が起こらないため、制動スイッチが回転軸６１３を開放し、回転軸６１３が携帯バルブ１００及びランプベース６２０の重量により駆動され、ランプベース６２０が下降する。
【００３２】
図１、図２及び図５ｂを参照して、携帯バルブ１００には充電電池１３０及び停電検知回路１１０が設けられているため、停電の場合に自動的に発光し、携帯バルブ１００が下降し、ユーザは、携帯バルブ１００を取り外すことで緊急照明として使用することができる。また、ここで注意すべき点は、図６に示す昇降式ランプベース６０１は、本考案に係る一つの実施例に過ぎず、本考案はそれに限定されるものではないことである。電流による磁力によりランプベースを固定させ、ダンパー装置を介してランプベースを徐々に下降させることができるものであれば、本考案の範囲に属する。
【００３３】
また、本考案に係る発光装置１５０は、各種のＬＥＤ、例えば直流ＬＥＤ（ＤＣ  ＬＥＤ）、交流ＬＥＤ（ＡＣ  ＬＥＤ）、有機発光ダイオード（Ｏｒｇａｎｉｃ  Ｌｉｇｈｔ−Ｅｍｉｔｔｉｎｇ  Ｄｉｏｄｅ、ＯＬＥＤ）等を利用することにより実現することが可能である。交流ＬＥＤを例にすると、発光装置１５０の発光ダイオードが交流ＬＥＤである場合、駆動回路１４０は、直接電源入力端ＩＮＴにカップリングされることにより交流電源ＡＣＩＮを受信し、交流電源ＡＣＩＮのままで発光装置１５０を駆動させる。ここで注意すべき点は、充電電池１３０による充電に切り換える場合、駆動回路１４０は、直流電源を交流電源に変換した後、発光装置１５０における交流ＬＥＤを駆動させる点である。異なるタイプのＬＥＤは、異なる駆動回路に合せて駆動を行うことができる。上述した実施例の説明によって、この技術分野において通常知識を有する者は、その他の実施形態を推知できるため、ここでは詳しい説明を省略する。
【００３４】
上述のように、本考案に係る携帯バルブは、内蔵した充電電池及びタッチオンオフ機能又は機械的調光機構が設けられているため、停電の場合に、携帯バルブを緊急照明として使用することができる。ユーザは、タッチ方式により携帯バルブのオンオフを行うことができるとともに、光透過ランプキャップの回転により輝度を調整することができるため、利便性が非常に高い。本考案に係る携帯バルブの外観には実体的なスイッチング素子を何ら設けることなく、調光又は制御の機能を達成することができるため、発光ダイオードバルブの実用性及び機能を高めることができるとともに、設計のコストを低減することができる。
【００３５】
上述したものは、本考案の好ましい実施例の詳細説明や図面に過ぎず、所属する技術分野において通常知識を有する者により本考案の主旨を逸脱しない範囲で種々に修正や変更されることが可能であり、そうした修正や変更は、本考案の登録請求の範囲に入るものである。
【符号の説明】
【００３６】
１００、４００  携帯バルブ
１０１  バルブ本体
１１０  停電検知回路
１２０  充電回路
１３０  充電電池
１４０  駆動回路
１５０  発光装置
１５１  照明光源
１６０  電源変換回路
１６１  パターン光源
１７０  制御回路
１８０  タッチ回路
１９０  調光装置
１９２  調光機構
１９４  光透過ランプキャップ
１９６  ハウジング
１９７  ジョイント
１９８  放熱フィン
２１０  手
３８１  レンズ歯車
３８２  ドライブ歯車
３８３  ドライブ軸
３９１  可変電気抵抗
３９２  印刷回路板
４１０  パターンカード
４６１、４６２、４６３、４６４  パターン光源
５１０  ランプベース
６０１  昇降式ランプベース
６１０  昇降設備
６１３  回転軸
６１４  ダンパー装置
６１５  ロープ
６１６  電線
６２０  ランプベース
ＩＮＴ  電源入力端
ＡＣＩＮ  交流電源
【図１】
0003170080.tif 000003
【図２】
0003170080.tif 000004
【図３】
0003170080.tif 000005
【図４Ａ】
0003170080.tif 000006
【図４Ｂ】
0003170080.tif 000007
【図５ａ】
0003170080.tif 000008
【図５ｂ】
0003170080.tif 000009
【図５ｃ】
0003170080.tif 000010
【図６】
0003170080.tif 000011